(57)【要約】【課題】視認性を向上させると共に、状況変化を利用者が表示画面で明確に視認できる構成とした平面表示装置の提供装置を提供すること。【解決手段】液晶表示層１３が基板１１、１２に保持される表示パネル１と、前記表示パネルに対向するように設置される第１の光源３および第２の光源５０と、前記表示パネルと前記各光源との間に設けられた導光板２と、前記各光源の周囲を覆うように配置され、且つ、前記導光板における互いに対向する側壁のそれぞれに光学的に結合された集光光学系１０と、前記第１の光源および第２の光源の点灯のタイミングを制御する制御部とを備え、前記第２の光源５０は点灯時に閃光を出射する。【選択図】  図１
2004219880.tif 000002
【特許請求の範囲】
【請求項１】
液晶表示層が基板に保持される表示パネルと、前記表示パネルに対向するように設置される第１の光源および第２の光源と、前記表示パネルと前記各光源との間に設けられた導光板と、前記各光源の周囲を覆うように配置され、且つ、前記導光板における互いに対向する側壁のそれぞれに光学的に結合された集光光学系と、前記第１の光源および第２の光源の点灯のタイミングを制御する制御手段とを備え、前記第２の光源は点灯時に閃光を出射することを特徴とする、平面表示装置。
【請求項２】
前記第２の光源は、第１の光源と併置して、前記表示パネルの中央部に対向するように設置されることを特徴とする、請求項１記載の平面表示装置。
【請求項３】
前記第２の光源は、前記集光光学系を分割した空間に形成される集光媒体の中に、前記第１の光源と共に併置されることを特徴とする、請求項１または請求項２に記載の平面表示装置。
【請求項４】
前記制御手段に特定の信号が入力されると前記第２の光源を点灯することを特徴とする、請求項１ないし請求項３のいずれかに記載の平面表示装置。
【請求項５】
前記表示パネルを計測表示盤に設け、前記特定の信号は計測器が異常状態を検出したときに制御手段に入力されることを特徴とする、請求項４に記載の平面表示装置。
【請求項６】
前記表示パネルをゲーム機に設け、前記特定の信号はゲーム機の高得点獲得時に制御手段に入力されることを特徴とする、請求項４に記載の平面表示装置。
【発明の詳細な説明】
【０００１】
【発明の属する技術分野】
本発明は、液晶表示層を有する表示パネルに用いられるバックライト型の液晶ディスプレイ（ＬＣＤ）などの平面表示装置に関する。
【０００２】
【従来の技術】
スイッチング素子や光学素子を用いた平面表示装置（フラットパネルディスプレイ；ＦＰＤ）は、軽量、省スペース、且つ省エネルギーが実現できるなどの優れた特徴を備えている。このため、近年、ブラウン管（ＣＲＴ）に代えて平面表示装置が産業機器や民生機器に多用されている。ＦＰＤのなかで、液晶を用いたＬＣＤは自己発光特性を有していない。
【０００３】
このような特性を有しているので、ＬＣＤを発光させるためには外部の光源（人工光源又は自然光源）が必要である。外部光源としては、主として透過型及び反射型の光源が採用されている。特に、高照度による視認性及び安定性等の観点からは、看者に対して液晶表示層の裏面側（背面側）から光を透過させるバックライト型の光源装置を用いた平面表示装置が有用である。
【０００４】
このようなバックライト型の光源装置として、特許文献１には、液晶表示パネルの背面側に設けられた線状光源を備えており、その光源とパネルとの間に中央部が厚くされた特徴的な形状を有する光散乱体が配置されたものが記載されている。また、特許文献２には、液晶セルの背面側に設けられた導光体（ライトガイド）の後段に、斜面を含む透反板を有する透明板を介して光源が配置されたものが記載されている。
【０００５】
さらに、特許文献３には、光拡散板の下方面側に対象配置された内面フレネル形状を有する二つの楔型導光体のそれぞれに線状光源が設けられたものが記載されている。また、特許文献４には、光乱反射層を有する導光板の側方に単一又は複数の線状光源が配置されたものが記載されている。
【０００６】
【特許文献１】
特公平３−７２９６８号公報
【特許文献２】
実公平８−５４５４号公報
【特許文献３】
特許第２５４０５４９号公報
【特許文献４】
特公平７−１１３７１８号公報
【０００７】
【発明が解決しようとする課題】
これら従来の光源装置のなかで、液晶セル等の表示層（パネル）の背面側に光源が位置する上記特許文献１、特許文献２のタイプの場合には、表示層に出射される光強度ひいては表示層における照度の面内分布を均一化して照度ムラを解消するように、光源と導光体との間に一定の厚みを有する光散乱体や特徴的な透明板が配置されている。したがって、原理的に装置全体の厚みが不都合に増大してしまうという問題がある。なお、表示層又は導光体の直後方に複数の光源を配置することも考えられるが、照度ムラを十分に解消するには、実質的に理想的な面光源とする必要があり、複数の光源を配置しても照度ムラは解消されない。また、複数の光源を配置した場合には、光源自体の部材コスト及び製造工数の増大を招いてしまう
【０００８】
上記特許文献３、特許文献４のタイプのものは、パネルの背面に設けた導光板の側方に光源が配置されているので、ＬＣＤの薄型化の観点では特許文献１、特許文献２のものよりも優れている。また、光源の周囲を反射体で覆うことにより、出射光の大部分を導光板へ導入して光の利用効率の向上が図られている。しかしながら、光源の制約から、単一光源ではＬＣＤに要求される十分な照度が担保し難いこともあり、複数光線とせざるを得ない場合がある。このため、光源自体の部材コスト及び製造工数が増大するという問題がある。
【０００９】
加えて、近時更なる薄型化という市場の要求が高まってきており、これに対応するために導光板の薄層化が加速している。これに対し、同等の光強度を有する光源サイズの縮小化には限界があるため、複数の光源を用いたとしても、従来と同様の光学系を使用する限り、出射光を導光板へ効率よく入射させることが困難である。よって、光の利用効率が低下し、ＬＣＤの照度が低下して表示面の視認性が悪化するおそれがあるという問題がある。
【００１０】
一方、バックライト光源付のＬＣＤを用いた平面表示装置の用途は拡大してきており、ゲーム機などの娯楽装置や、プラントなどの計測表示盤などにも採用されている。これらの用途に前記平面表示装置が用いられると、文字や画像が鮮明に視認できるという利点がある。しかしながら、ゲーム機において高得点をあげたときのようなビッグボーナス獲得時の表示画面や、プラントに異常が発生した場合の警報表示画面に、照度や輝度を変化させる手段が設けられていない。このため、前記平面表示装置の利用者に対して状況変化を表示画面で視認させることができない、という問題があった。
【００１１】
そこで、本発明はかかる事情に鑑みてなされたものであり、光源からの出射光の利用効率を高めて平面表示装置の視認性を向上させると共に、状況変化を利用者が表示画面で明確に視認できる構成とした平面表示装置の提供を目的とする。
【００１２】
【課題を解決するための手段】
上記課題を解決するために、本発明による平面表示装置は、液晶表示層が基板に保持される表示パネルと、前記表示パネルに対向するように設置される第１の光源および第２の光源と、前記表示パネルと前記各光源との間に設けられた導光板と、前記各光源の周囲を覆うように配置され、且つ、前記導光板における互いに対向する側壁のそれぞれに光学的に結合された集光光学系と、前記第１の光源および第２の光源の点灯のタイミングを制御する制御手段とを備え、前記第２の光源は点灯時に閃光を出射することを特徴とする。
【００１３】
このように構成された平面表示装置においては、第１の光源から発せられた光が、表示パネルに直接導入されずに、第１の光源の周囲に配置された集光光学系で集められ、その内部を導波し、集光光学系に光学結合された導光板に入射する。よって、第１の光源からの出射光の利用効率を極めて高くすることができる。したがって、光源を複数光源としなくても表示パネルに要求される十分な輝度が実現される。また、点灯時に閃光を出射する第２の光源を設けているので、利用者は状況変化を表示画面で視認することができる。
【００１４】
また、本発明は、前記第２の光源は、前記第１の光源と併置して、前記表示パネルの中央部に対向するように設置されることを特徴とする。このため、第１の光源と第２の光源の出射光は、表示パネルに平均して拡散され利用者に視認されやすい構成とすることができる。
【００１５】
また、本発明は、前記第２の光源は、前記集光光学系を分割した空間に形成される集光媒体の中に、前記第１の光源と共に前記表示パネルの中央部に対向するように設置されることを特徴とする。このため、第１の光源と第２の光源の取り付けを簡単な構成とすることができる。
【００１６】
また、本発明は、前記制御手段に特定の信号が入力されると前記第２の光源を点灯することを特徴とする。このため、閃光が強く出射されるので表示画面は通常状態に比較して変化の度合いが大きくなり、特殊な状況であることを利用者に視認によりアピールすることができる。
【００１７】
また、本発明は、前記表示パネルを計測表示盤に設け、前記特定の信号は計測器が異常状態を検出したときに制御手段に入力されることを特徴とする。このため、オペレータの注意を喚起して、異常の見過ごしを防止できる。
【００１８】
また、本発明は、前記表示パネルをゲーム機に設け、前記特定の信号はゲーム機の高得点獲得時に制御手段に入力されることを特徴とする。このため、ゲーム機の利用者の娯楽性を高めることができる。
【００１９】
【発明の実施の形態】
以下、本発明の実施形態について詳細に説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限られるものではない。
【００２０】
図１は、本発明の平面表示装置の第一実施形態を示す模式断面図である。ＦＰＤｌＯＯ（平面表示装置）は、バックライト型ＬＣＤであって、表示パネル１の後方（看者９から見て表示パネル１の背面側）に光源装置が設けられている。表示バネル１は、それぞれ電極が設けられた透明基板１１、１２（基板）間に、例えば数十〜数百μｍピッチで配設された液晶セルアレイを有する液晶表示層１３が扶持されている。また、看者９側の表面には必要に応じて偏光体１４が被着される。
【００２１】
ここで、ＬＣＤの駆動方式としては、パッシプ方式及びアクティブ方式のいずれも採用され得るが、薄膜トランジスタ（ＴＦＴ）、薄膜ダイオード（ＴＦＤ）等のスイッチング素子を画素セル毎に備えるアクティブ方式が、表示性能においてより優れている点で好適である。また、カラー表示を行う場合には、各スイッチング素子に対応して例えばピクセル単位でＲＧＢ等のカラーフィルタが配設される。また、透明基板１１、１２としては、可視光（波長が概ね４００〜７５０ｎｍ程度）に対する透光性を有する樹脂体、例えば（メタ〉アクリル系樹脂、ポリカーボネート、シクロオレフイン系樹脂等、或いは、各種ガラス材等を適宜選択して用いることが可能である。さらに、必要に応じて、例えば無機系の防湿層を設けてもよい。
【００２２】
また、光源装置は、表示パネル１に対向するように配置された導光板２と、更にその後段に配置された第１の光源３及び集光光学系１０を備えている。光源３は、導光板２を介して表示パネル１の背面にそれらと同軸状に設けられたバックライトである。なお、光源３の形状は特に制限されず、例えば、線状光源でも点状光源でもよい。以下においては、線状光源として説明する。
【００２３】
また、第１の光源３と併置して第２の光源５０を設ける。第１の光源３は、平面表示装置が使用される際には常時点灯されるが、第２の光源５０は、特定のタイミングで閃光を出射する。第２の光源５０は、表示パネル１の中央部に対向するように筐体２１内の空間部に設置される。このため、第１の光源３と第２の光源５０の出射光は、表示パネル１に平均して拡散される。
【００２４】
この第２の光源５０が点灯されるのは、ゲーム機などで高得点を獲得したときや、プロセス計測表示盤において異常発生時などである。このように通常とは異なる状況の際に第２の光源５０が点灯して閃光を出射するので、利用者はかかる特殊な状況を表示画面で視認することができる。このような第２の光源５０としては、小型でパルス発光するロングアークキセノンランプなどを使用する。
【００２５】
導光板２は、側壁から導入された光を表示パネル１側へ照射するためのものである。その内面に、例えばフレネル形状の散乱体、分散体、或いは反射体等が形成された一般に用いられているものを使用できる。集光光学系１０は、光源３の周囲を覆うように設けられた集光部２０（第１の光学部）とプリズム３０（第２の光学部）とから構成されている。
【００２６】
集光部２０は、内面が反射面であり且つ第１の光源３を挟んで対称に対向配置された二つの反射体２１ａ、２１ａから成る筐体２１を有している。また、第１の光源３と同軸状に設けられた円筒部２２との間に、集光媒体２３を有している。集光媒体２３としては、例えば、空気その他のガス、或いは、所定の屈折率を有する透明部材等が適宜選択できる。また、集光部２０は、第１の光源３の近傍の断面幅が最大とされており、端部に向かってその幅が漸次狭くされている。
【００２７】
また、プリズム３０は断面台形状を成しており、底面３０ａが導光板２の側端面２ａ及び集光部２０の側端面１０ａと光学的に接合されている。さらに、プリズム３０における導光板２側に位置する反射面３１（第１の反射面）及び集光部２０側に位置する反射面３２（第２の反射面〉は、底面３０ａに対する内角θが４５度とされている。
【００２８】
また、これらの反射面３１、３２は、下記（１）式
ｈ×√２≦Ｌ≦ｄ×√２…（１）
を満たすように設けられている。ただし、
Ｌ：前記第２の光学部の断面における前記第１及び第２の反射面の長さ、
ｈ：前記第１の光学部の側端部の厚さ、
ｄ：前記導光板の厚さ
とする。
【００２９】
なお、本実施形態においては、式中のＬは、反射面３１、３２の断面長さを示し、ｂは集光部２０の側端面の厚さを示している。また、ｄは導光板２の厚さを示す。つまり、反射面３１の高さ（Ｌ／√２）は、導光板２の厚さｄ以下とされる一方で、反射面３２の高さ（Ｌ／√２）は、集光部２０の側端面１０ａの厚さｂ以上に設定している。
【００３０】
このように構成されたＦＰＤｌＯＯにおいては、第１の光源３からの出射光（ー例を図示矢印で示す。）の一部がプリズム３０へ入射すると共に、他の大部分が反射体２１ａの反射面で反射されて集光部２０の両側端側へ導波し、プリズム３０内へ入射する。よって、光源３から全周方向へ発せられる光の略全部が、集光部２０の両側瑞部に集光され、プリズム３０内へ入射する。この入射光は、プリズム３０の反射面３１、３２等で反射され、導光板２へ導入される。そして、導光板２内で分散、反射等された光が表示パネル１側へ出射される。また、第２の光源５０から出射される閃光も、同様にプリズム３０を介して導光板２へ導入され、導光板２内で分散、反射等された光が表示パネル１側へ出射される。
【００３１】
このように、ＦＰＤｌＯＯによれば、第１の光源３から全周方向に出射された光の殆ど（実質的に略全部）が導光板２内へ導入されるので、従来に比して、出射光の利用効率を格段に高めることができる。よって、光源を複数用いることなく単一の第１の光源３のみでも、導光板２から表示バネル１側へ照射される光量が増大する。このため、表示パネル１の輝度が増し、その表示牲、視認性及び色調を格別に改善できる．また、導光板２を用いるので、表示パネル１上での照度ムラを防止できる。
【００３２】
さらに、第１の光源３からの出射光を、幅が狭い集光部２０の両側端部に集光し、光束フルエンス（フラックス）を高めるので、プリズム３０の小型化を図り得る。また、プリズム３０の小型化により、反射面３１の長さＬを短小化できるので、導光板２の厚さｄが極薄い場合にも、導発板２の側壁へ十分な光量を導入し易くなる。なお、このような構成としているので、第１の光源３、集光光学系１０の配列（アライメント）が簡便となる。またさらに、第１の光源３を単色化することにより、経済性をも向上させることができる。
【００３３】
また、反射面３２の高さ（Ｌ／√２）に比して集光部２０の側端部の厚さ１０ａ（高さ）ｂが同等又はそれより小さくされているので、集光部２０で集光された光束がプリズム３０へ入射する際の損失を十分に抑制できる。よって、反射面３２への入射効率を高めることができる。さらに、反射面３１の高さ（Ｌ／√２）に比して導光板２の厚さｄ（側壁の高さ）が同等又はそれより大きくされているので、反射面３１等で反射された光が導光板２へ入射する際の損失を十分に抑制できる。よって、光の利用効率を更に一層向上できる。
【００３４】
図２は、本発明による光源装置を備える本発明の平面表示装置の第二実施形態を示す摸式断面図である。図２のＦＰＤ２００（平面表示装置）は、集光光学系１０の代わりに、反射体４１ａ、４１ｂをニつに分割した空間に形成される集光媒体４１ｘ内に第１の光源３と第２の光源５１とを併置して設けた筐体４１を有する集光光学系４０を備えること以外は、図１に示すＦＰＤｌＯＯと同等に溝成されたものである。
【００３５】
図２の例では、第２の光源５１は、反射体４１ａ、４１ｂを分割した空間に形成される集光媒体４１ｘ内に第１の光源３に隣接した位置に設けている。このように、筐体４１を分割した空間内に第１の光源３と第２の光源５１とを設けることにより、図１の場合よりも第１の光源３と第２の光源５１との設置が簡単に行える。
【００３６】
図３は、本発明の平面表示装置の第三実施形態を示す摸式断面図である。ＦＰＤ３００（平面表示装置）は、集光光学系４０の代わりに、反射体６１ａ、６１ｂをニつに分割した空間に形成される集光媒体６１ｘ内に、第１の光源３と第２の光源５２とを併置して設けた筐体６１を有する集光光学系６０を備えている。それ以外の構成は、図２に示すＦＰＤ２ＯＯと同等に構成されたものである。図３の例でも、第２の光源５２は、第１の光源３と併置して設けている。、
【００３７】
これらＦＰＤ２００，３００に用いられる集光光挙系４０，６０の反射体４１ａ，６１ａには、第１の光源３の近傍部位、具体的には光源の図示上方及び下方部位にそれぞれ凹部Ｋｌ、Ｋ２が形成されている。凹部Ｋｌは、断面弧状を成す一方で、凹部Ｋ２は、断面「く」の字状を成している。このように凹部Ｋｌ、Ｋ２が形成された部位には、第１の光源３からの出射光が深い角度で照射される。
【００３８】
このため、前記照射光は当該凹部Ｋｌ、Ｋ２によって反射、散乱等され、その反射光や散乱光が第１の光源３から遠方に導光され易くなる。よって、集光光学系４０、６０の両側端面１０ａへの集光効率がより高められる。したがって、同じ第１の光源３を用いても、出射光の利用効率を図１の例よりも更に向上できる利点がある。なお、ＦＰＤｌＯＯが奏するのと同様の他の作用・効果については、重複を避けるため、ここでの説明は省略する。
【００３９】
図４は、図１の矢視Ｘ方向からみた平面表示装置の背面の概略平面図である。図４の例では、第１の光源３は筐体４１の空間内の中央部に線状に配置されている。また、線状の第２の光源５０は、線状の第１の光源３と併置される位置、すなわち筐体４１の空間内の中央部に配置されている。このため、第１の光源３による出射光と、第２の光源５１、５２の出射光は、いずれも導光板２内で分散、反射等されて平均して表示パネル１側へ出射される。したがって、利用者にとっては表示画面が見やすい構成とすることができる。なお、図２、図３の例でも第２の光源は第１の光源と併置されて筐体のほぼ中央部に設けられている。このとめ、図１の例と同様に利用者にとっては表示画面が見やすい構成とすることができる。
【００４０】
図５は、図１の例に適用される本発明の制御部の構成を示す概略のブロック図である。図５において、５５はＣＰＵなどを内蔵した演算処理装置、５６は商用電源に接続されるプラグ、５７、５８は第１の光源３、第２の光源５０と演算処理装置５５との電気的接続を開閉するスイッチ、５９は外部からの信号が入力される信号線である。演算処理装置５５は、信号線Ｓａ、Ｓｂに信号を送りスイッチ５７、５８を開閉する。なお、スイッチ５７、５８は、アナログスイッチを用いることに代えて電子的開閉手段で構成することもできる。
【００４１】
演算処理装置５５を交流電源に接続し、演算処理装置５５に設けている電源スイッチをオンにすると、スイッチ５７が閉じられ、第１の光源３が点灯する。第１の光源３は、平面表示装置の使用中は点灯を維持してバックライトとして表示パネル１を照射する。平面表示装置をゲーム機として使用している場合に、高得点などのボーナスポイントを獲得すると、信号線５９から当該情報が演算処理装置５５に入力される。
【００４２】
この情報に基づいて、演算処理装置５５は信号線Ｓｂによりスイッチ５８を閉止して、第２の光源５０を点灯する。演算処理装置５５には、タイマなどが設けられており、所定時間が経過すると、スイッチ５８を開放する信号を信号線Ｓｂに送り、第２の光源５０を消灯する。このように、ボーナスポイント獲得時などの通常とは異なる状況を表示画面の発光状態を変えて利用者に報知するので、利用者が視認しやすく、娯楽性を高めることができる。
【００４３】
また、平面表示装置をプラントの計測表示盤として利用した場合には、多数の計測信号の中でいずれかの測定値に異常が発生した場合に、該当の計器の画面を第２の光源５０で照射する。オペレータは、多数の計器の中で異常を報知する計器を迅速に確認して、適切な対応をとることができる。また、このような平面表示装置は、狭い空間に多数の計器が配置されている航空機や船舶などの運航表示器としても利用できる。この場合にも、異常の報知を見逃すことなく認識することができる。
【００４４】
なお、本発明は上述した各実施形態に限定されず、その要旨を逸脱しない範囲で様々な変形が可能である。例えば、集光光学系１０，４０．６０の各集光部２０及びプリズム３０の形状、凹部Ｋｌ，拡２の形状等は、図示に限定されず、また、プリズム３０の一部又は全部に代わりに、ファイバ等の柔軟性を有する導光路を用いてもよい。さらに、光源３として、よりサイズの小さいものを集光光学系１０，４０，６０の各集光部２０内に配置しても構わない。またさらに、ＬＣＤの表示性及び視認性を一層高めるべく、透明基額１２における例えば導光板２の対向面にＡＲコートを施してもよい。これにより、看者９側から入射する反射光によるコントラストの低下を抑えることができる。さらにまた、偏光体１４は設けなくてもよい。
【００４５】
【発明の効果】
以上説明した通り、本発明によれば、表示パネルの背面に配置される光源の周囲を覆い且つ導光板に光学結合された集光光学系を有するので、導光板が薄型化しても、光源からの出射光の利用効率を格別に高めることができる。よって、平面表示装置の照度ムラを防止し且つ高輝度及び高照度を両立でき、これにより視認性を向上できる。また、出射光の利用効率が高まるので、単一光源で十分な光量を得ることができ、経済性の向上をも図ることが可能となる。
【００４６】
また、本発明によれば、第１の光源と第２の光源の出射光は、表示パネルに平均して拡散され利用者に視認されやすい構成とすることができる。さらに、本発明によれば、第１の光源による出射光と、第２の光源の出射光は、いずれも導光板内で分散、反射等されて平均して表示パネル側へ出射される。したがって、利用者にとっては表示画面が見やすい構成とすることができる。なお、反射体を分割した空間に形成される集光媒体内に、第１の光源と併置して第２の光源を設ける場合には、各光源の取り付けが簡単に行える。
【００４７】
本発明の平面表示装置を計測表示盤に設けた場合には、計測器が異常状態を検出したときに第２の光源から閃光が発せられるので、オペレータの注意を喚起して、異常の見過ごしを防止できる。また、本発明の平面表示装置をゲーム機に設けた場合には、ゲーム機の高得点獲得時に第２の光源から閃光が発せられるので、ゲーム機の利用者の娯楽性を高めることができる。
【図面の簡単な説明】
【図１】本発明による光源装置を備える本発明の平面表示装置の第一実施形態を示す摸式断面図である。
【図２】本発明による光源装置を備える本発明の平面表示装置の第二実施形態を示す摸式断面図である。
【図３】本発明による光源装置を備える本発明の平面表示装置の第三実施形態を示す摸式断面囲である。
【図４】図１の矢視Ｘ方向からみた背面の平面図である。
【図５】図１の制御手段を示す概略のブロック図である。
【符号の説明】
１…表示パネル、２ａ…側端面、２…導光板、３…第１の光源、１０ａ…側端面、１０、４０．６０‥・集発光学系、２０‥集光部〈第１の光学部）、１１，１２…薄明基板（基板）、１３・・・液晶表示層、２１ａ．４１ａ，６１ａ…反射体、３０…プリズム（第２の光学都）、３０ａ…底面、３１‥・反射面（第１の反射面）、３２‥・反射面（第２の反射面）、５０〜５２…第２の光源、５５…演算処理装置、５７、５８…スイッチ、Ｋｌ，Ｋ２…凹部、１００．２００，３００…ＬＣＤ（平面表示装置）。
【図１】
2004219880.tif 000003
【図２】
2004219880.tif 000004
【図３】
2004219880.tif 000005
【図４】
2004219880.tif 000006
【図５】
2004219880.tif 000007